(57)【要約】【課題】個人情報を用いることなく、人の混み具合に関する画像を変更可能な技術を提供する。【解決手段】制御装置の制御方法は、第１領域における通信の状態を示す状態情報を受け取ることと、前記状態情報に基づいて、前記第１領域における人の混み具合に対応した画像を決定することと、前記人の混み具合に対応した画像を表示部に表示させることと、を含む。【選択図】図２
2020098452.tif 000002
【特許請求の範囲】
【請求項１】
第１領域に配置される第１測定装置であって前記第１領域における通信の状態を測定する第１測定装置から、前記通信の状態を示す状態情報を受け取ることと、
前記状態情報に基づいて、前記第１領域における人の混み具合に対応した画像を決定することと、
前記人の混み具合に対応した画像を表示部に表示させることと、
を含む制御装置の制御方法。
【請求項２】
前記通信の状態は、前記通信で用いられる周波数帯域の電波の強度である、
請求項１に記載の制御装置の制御方法。
【請求項３】
前記通信の状態は、前記通信の速度である、
請求項１に記載の制御装置の制御方法。
【請求項４】
前記状態情報は、前記通信の状態に基づく値を示し、
前記状態情報の示す値が比較値よりも大きい場合、前記表示部に第１画像を、前記表示面に対して表示させ、
前記状態情報の示す値が前記比較値よりも小さい場合、前記表示部に、前記第１画像とは異なる第２画像を、前記表示面に対して表示させる、
請求項１から３のいずれか１項に記載の制御装置の制御方法。
【請求項５】
前記比較値は、固定値である、
請求項４に記載の制御装置の制御方法。
【請求項６】
前記比較値は、前記第１領域とは異なる第２領域に配置される第２測定装置によって測定される前記第２領域における通信の状態に基づく値である、
請求項４に記載の制御装置の制御方法。
【請求項７】
第１領域に存在する人の個人情報を表すことなく前記人の混み具合に依存する第１情報を受け取ることと、
前記第１情報に基づいて、前記人の混み具合に対応した画像を決定することと、
前記人の混み具合に対応した画像を表示部に表示させることと、
を含む制御装置の制御方法。
【請求項８】
前記第１領域には、人の数を検出する赤外線センサーが配置され、
前記第１情報は、前記赤外線センサーの検出結果である、
請求項７に記載の制御装置の制御方法。
【請求項９】
前記第１領域には、前記第１領域内の温度を測定する温度センサーが配置され、
前記第１情報は、前記温度センサーの検出結果である、
請求項７に記載の制御装置の制御方法。
【請求項１０】
前記第１領域には、前記第１領域内の風量を測定する風量計が配置され、
前記第１情報は、前記風量計の検出結果である、
請求項７に記載の制御装置の制御方法。
【請求項１１】
前記第１領域には、前記第１領域内の音量を測定する音量計が配置され、
前記第１情報は、前記音量計の検出結果である、
請求項７に記載の制御装置の制御方法。
【請求項１２】
前記第１領域には、前記第１領域内の震度を測定する震度計が配置され、
前記第１情報は、前記震度計の検出結果である、
請求項７に記載の制御装置の制御方法。
【請求項１３】
前記第１領域には、重量センサーが配置され、
前記重量センサーは、前記重量センサーにかかる重量を検出し、
前記第１情報は、前記重量センサーの検出結果である、
請求項７に記載の制御装置の制御方法。
【請求項１４】
第１領域に配置される第１測定装置であって前記第１領域における通信の状態を測定する第１測定装置から、前記通信の状態を示す状態情報を受け取る受取部と、
前記状態情報に基づいて、前記第１領域における人の混み具合に対応した画像を決定し、前記人の混み具合に対応した画像を表示部に表示させる処理部と、
を含む制御装置。
【請求項１５】
前記通信の状態は、前記通信で用いられる周波数帯域の電波の強度である、
請求項１４に記載の制御装置。
【請求項１６】
前記通信の状態は、前記通信の速度である、
請求項１４に記載の制御装置。
【請求項１７】
前記状態情報は、前記通信の状態に基づく値を示し、
前記処理部は、
前記状態情報の示す値が比較値よりも大きい場合、前記表示部に第１画像を、前記表示面に対して表示させ、
前記状態情報の示す値が前記比較値よりも小さい場合、前記表示部に、前記第１画像とは異なる第２画像を、前記表示面に対して表示させる、
請求項１４から１６のいずれか１項に記載の制御装置。
【請求項１８】
前記比較値は、固定値である、
請求項１７に記載の制御装置。
【請求項１９】
前記比較値は、前記第１領域とは異なる第２領域に配置される第２測定装置によって測定される前記第２領域における通信の状態に基づく値である、
請求項１７に記載の制御装置。
【請求項２０】
請求項１４から１９のいずれか１項に記載の制御装置を含む表示装置。
【発明の詳細な説明】
【技術分野】
【０００１】
本発明は、制御装置の制御方法、制御装置および表示装置に関する。
【背景技術】
【０００２】
特許文献１には、エリア内の混雑状況に応じて、プロジェクターが表示するコンテンツを変更する人流制御システムが記載されている。この人流制御システムは、エリア内の人を撮像するカメラの撮像画像に基づいて、または、人が携帯する通信機器の固有アドレスの検出結果に基づいて、エリア内の混雑状況を検出する。
【先行技術文献】
【特許文献】
【０００３】
【特許文献１】特開２０１７−２０４１３６号公報
【発明の概要】
【発明が解決しようとする課題】
【０００４】
特許文献１に記載の人流制御システムでは、エリア内の混雑状況を検出するために、さらに言えば、エリア内の混雑状況に関するコンテンツを変更するために、カメラの撮像画像に表される人の像、または、人が携帯する通信機器の固有アドレス、という取り扱いに注意を要する個人情報を用いる必要がある。
【課題を解決するための手段】
【０００５】
本発明に係る制御装置の制御方法の一態様は、第１領域に配置される第１測定装置であって前記第１領域における通信の状態を測定する第１測定装置から、前記通信の状態を示す状態情報を受け取ることと、前記状態情報に基づいて、前記第１領域における人の混み具合に対応した画像を決定することと、前記人の混み具合に対応した画像を表示部に表示させることと、を含む。
【０００６】
本発明に係る制御装置の制御方法の一態様は、第１領域に存在する人の個人情報を表すことなく前記人の混み具合に依存する第１情報を受け取ることと、前記第１情報に基づいて、前記人の混み具合に対応した画像を決定することと、前記人の混み具合に対応した画像を表示部に表示させることと、を含む。
【０００７】
本発明に係る制御装置の一態様は、第１領域に配置される第１測定装置であって前記第１領域における通信の状態を測定する第１測定装置から、前記通信の状態を示す状態情報を受け取る受取部と、前記状態情報に基づいて、前記第１領域における人の混み具合に対応した画像を決定し、前記人の混み具合に対応した画像を表示部に表示させる処理部と、を含む。
【図面の簡単な説明】
【０００８】
【図１】第１実施形態に係る制御装置１を含む表示システムＡを示す図である。
【図２】制御装置１の一例を示す図である。
【図３】非混雑用画像Ｇ１の一例を示す図である。
【図４】混雑用画像Ｇ２の一例を示す図である。
【図５】プロジェクター４の一例を示す図である。
【図６】制御装置１の動作を説明するためのフローチャートである。
【図７】変形例３の一例を示す図である。
【図８】画像Ｇ１Ａを示す図である。
【図９】画像Ｇ２Ａを示す図である。
【図１０】変形例４の一例を示す図である。
【発明を実施するための形態】
【０００９】
＜Ａ：第１実施形態＞
＜Ａ１：表示システムＡの概要＞
図１は、第１実施形態に係る制御装置１を含む表示システムＡを示す図である。表示システムＡは、制御装置１を含む情報処理装置１０と、記憶装置２と、第１測定装置３と、プロジェクター４とを含む。表示システムＡは、投射面５に画像を表示する。
【００１０】
情報処理装置１０は、典型的にはＰＣ（Personal Computer）である。なお、情報処理装置１０は、ＰＣに限らず、例えば専用の情報処理装置でもよい。情報処理装置１０は、表示システムＡを制御する。
【００１１】
記憶装置２は、情報処理装置１０に対して着脱可能な記録媒体であり、例えばＵＳＢ（Universal Serial Bus）メモリーである。ＵＳＢは登録商標である。なお、記憶装置２は、ＵＳＢメモリーに限らず、コンピューターが読取可能な記録媒体であればよい。また、記憶装置２は、情報処理装置１０に対して着脱可能でなくてもよく、例えば情報処理装置１０に内蔵されてもよい。記憶装置２は、表示システムＡが表示する画像を示す画像情報を記憶する。
【００１２】
第１測定装置３は、第１領域Ｒ１に配置される。第１測定装置３は、第１領域Ｒ１に存在する通信機器ＵＥが通信で用いる周波数帯域の電波の強度を測定する。第１測定装置３が測定する電波の強度は、第１領域Ｒ１における通信の状態の一例である。第１測定装置３は、電波の強度に基づく値を示す状態情報を、情報処理装置１０に送信する。本実施形態では、状態情報は、電波の強度を表す値を示し、状態情報の示す値は、電波の強度が強いほど大きくなる。
【００１３】
通信機器ＵＥは、例えば、スマートフォン等の携帯通信機器である。通信機器ＵＥは、第１領域Ｒ１に存在する人Ｃによって携帯される。このため、第１領域Ｒ１において通信機器ＵＥを携帯する人Ｃの数が多いほど、第１領域Ｒ１における通信の混み具合が高くなる。
【００１４】
通信機器ＵＥは、基地局等を含む携帯電話網を介して他の通信機器と通信する。携帯電話網を介する通信、すなわち携帯電話通信では、通信に用いられる電波の強度は、通信の混み具合に応じて調整されることによって変動する。具体的には、第１領域Ｒ１において通信の混み具合が高いほど、通信機器ＵＥが発する送信用の電波の強度は弱くなる。
【００１５】
このため、第１領域Ｒ１において通信の混み具合が高いほど、つまり、第１領域Ｒ１において通信機器ＵＥを携帯する人Ｃの数が多いほど、通信機器ＵＥが発する電波の強度は弱くなり、状態情報の示す値は小さくなる。
【００１６】
したがって、第１測定装置３は、第１領域Ｒ１に存在する通信機器ＵＥが通信で用いる電波の強度を測定することによって、間接的に、第１領域Ｒ１に存在する人Ｃの混雑の度合いを測定することになる。
【００１７】
第１領域Ｒ１は、ショッピングモール等の人が集まる施設の一部の領域である。なお、第１領域Ｒ１を含む施設は、ショッピングモールに限らず、例えば空港、駅または店舗でもよい。
【００１８】
プロジェクター４は、種々の画像を投射面５に投射することによって当該画像を投射面５に表示する。プロジェクター４は、表示部および表示装置の一例である。
【００１９】
投射面５は、第１領域Ｒ１における天井である。なお、投射面５は、天井に限らず、例えば壁またはスクリーンでもよい。本実施形態では、投射面５は、第１領域Ｒ１に位置する人Ｃによって視認可能な位置にある。投射面５は、表示面の一例である。
【００２０】
制御装置１は、例えば単一の制御モジュールである。なお、制御装置１は、単一の制御モジュールに限らず、複数の制御モジュールによって構成されてもよい。制御装置１は、情報処理装置１０を制御する。
【００２１】
＜Ａ２：制御装置１の一例＞
図２は、制御装置１の一例を示す図である。制御装置１は、第１通信部１１と、第２通信部１２と、記憶部１３と、処理部１４とを含む。
【００２２】
第１通信部１１は、第１測定装置３と有線または無線で通信する。第１通信部１１は、第１測定装置３から状態情報を受信する。第１通信部１１は、状態情報を受け取る受取部の一例である。
【００２３】
第２通信部１２は、プロジェクター４と有線または無線で通信する。第２通信部１２は、プロジェクター４に、非混雑用画像Ｇ１を示す第１画像情報を送信したり、非混雑用画像Ｇ１とは異なる混雑用画像Ｇ２を示す第２画像情報を送信したりする。
【００２４】
非混雑用画像Ｇ１は、第１領域Ｒ１が人Ｃで混んでいないときに用いられる画像である。混雑用画像Ｇ２は、第１領域Ｒ１が人Ｃで混んでいるときに用いられる画像である。非混雑用画像Ｇ１および混雑用画像Ｇ２の各々は、第１領域Ｒ１における人Ｃの混み具合に対応した画像の一例である。非混雑用画像Ｇ１は、第１画像の一例である。混雑用画像Ｇ２は、第２画像の一例である。
【００２５】
記憶部１３は、コンピューターが読取可能な記録媒体である。記憶部１３は、種々の情報と、処理部１４の動作を規定するプログラムと、を記憶する。なお、記憶部１３は、記憶装置２の代わりに、第１画像情報と第２画像情報とを記憶してもよい。
【００２６】
処理部１４は、例えばＣＰＵ（Central Processing Unit）等のコンピューターである。処理部１４は、１または複数の処理装置で構成されてもよい。処理部１４は、記憶部１３に記憶されているプログラムを読み取り実行することにより種々の動作を実行する。
【００２７】
処理部１４は、第１通信部１１が受信する状態情報に基づいて、第１領域Ｒ１における人Ｃの混み具合に対応した画像を決定する。処理部１４は、第１領域Ｒ１における人Ｃの混み具合に対応した画像をプロジェクター４に表示させる。
本実施形態では、処理部１４は、第１領域Ｒ１がすいているか混んでいるかを判定するための比較値と、状態情報の示す値と、の大小関係に基づいて、第１領域Ｒ１における人Ｃの混み具合に対応した画像、すなわち、プロジェクター４が投射面５に表示する画像を決定する。
例えば、状態情報の示す値が比較値よりも大きい場合、すなわち、第１領域Ｒ１がすいている場合、処理部１４は、プロジェクター４に、投射面５に対して非混雑用画像Ｇ１を表示させる。
状態情報の示す値が比較値よりも小さい場合、すなわち、第１領域Ｒ１が混んでいる場合、処理部１４は、プロジェクター４に、投射面５に対して混雑用画像Ｇ２を表示させる。
状態情報の示す値が比較値と等しい場合、処理部１４は、プロジェクター４に、投射面５に対して混雑用画像Ｇ２を表示させる。なお、状態情報の示す値が比較値と等しい場合、処理部１４は、プロジェクター４に、投射面５に対して混雑用画像Ｇ２ではなく非混雑用画像Ｇ１を表示させてもよいし、非混雑用画像Ｇ１および混雑用画像Ｇ２とのいずれとも異なる画像Ｇ３を表示させてもよい。画像Ｇ３としては、例えば、施設の見取り図が用いられてもよい。
本実施形態では、比較値は、固定値であり記憶部１３に記憶される。なお、比較値は、記憶部１３ではなく記憶装置２に記憶されてもよい。
【００２８】
＜Ａ３：非混雑用画像Ｇ１と混雑用画像Ｇ２の一例＞
図３は、非混雑用画像Ｇ１の一例を示す図である。図４は、混雑用画像Ｇ２の一例を示す図である。非混雑用画像Ｇ１は、本日のおすすめを示す。本日のおすすめは、例えば、本日のおすすめの商品である。混雑用画像Ｇ２は、第１領域Ｒ１が混雑気味であることを示す。なお、非混雑用画像Ｇ１は、第１領域Ｒ１が混雑気味であることを示さないことによって、第１領域Ｒ１における人Ｃの混み具合が高くないことを示す。
非混雑用画像Ｇ１および混雑用画像Ｇ２は、上述の画像に限らず適宜変更可能である。例えば、非混雑用画像Ｇ１が緑色を示し、混雑用画像Ｇ２が赤色を示してもよい。
【００２９】
＜Ａ４：プロジェクター４の一例＞
図５は、プロジェクター４の一例を示す図である。プロジェクター４は、画像処理部４１と、ライトバルブ駆動部４２と、光源４３と、赤色用液晶ライトバルブ４４Ｒと、緑色用液晶ライトバルブ４４Ｇと、青色用液晶ライトバルブ４４Ｂと、投射光学系４５と、を含む。以下、赤色用液晶ライトバルブ４４Ｒと、緑色用液晶ライトバルブ４４Ｇと、青色用液晶ライトバルブ４４Ｂとを相互に区別する必要がない場合、これらを「液晶ライトバルブ４４」と称する。
【００３０】
画像処理部４１は、例えばＣＰＵ等のコンピューターである。画像処理部４１は、１または複数の処理装置で構成されてもよい。画像処理部４１は、画像情報に対して画像処理を施すことによって画像信号を生成する。画像情報としては、例えば、第１画像情報および第２画像情報の各々が挙げられる。
【００３１】
画像処理部４１が実行する画像処理は、例えば、解像度変換処理を包含する。解像度変換処理では、画像処理部４１は、画像情報の解像度を、例えば液晶ライトバルブ４４の解像度に変換する。画像処理部４１は、解像度変換処理に加えて、または、解像度変換処理の代わりに、他の画像処理、例えば、いわゆるガンマ補正処理を実行してもよい。
【００３２】
ライトバルブ駆動部４２は、画像処理部４１から入力される画像信号に基づいて液晶ライトバルブ４４を駆動する。
【００３３】
光源４３は、例えば、ＬＥＤ（Light Emitting Diode）である。なお、光源４３は、ＬＥＤに限らず適宜変更可能であり、例えば、キセノンランプ、超高圧水銀ランプ、またはレーザー光源等でもよい。光源４３から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ４４Ｒに入射する。緑色の色光成分は緑色用液晶ライトバルブ４４Ｇに入射する。青色の色光成分は青色用液晶ライトバルブ４４Ｂに入射する。
【００３４】
液晶ライトバルブ４４は、一対の透明基板間に液晶が存在する液晶パネル等によって構成される。液晶ライトバルブ４４は、マトリクス状に位置する複数の画素４４ｐを含む矩形の画素領域４４ａを有する。液晶ライトバルブ４４では、液晶に対して画素４４ｐごとに駆動電圧が印加される。ライトバルブ駆動部４２が、画像信号に基づく駆動電圧を各画素４４ｐに印加すると、各画素４４ｐは、駆動電圧に基づく光透過率に設定される。光源４３から射出される光は、画素領域４４ａを通ることで変調され画像信号に基づく画像が色光ごとに形成される。液晶ライトバルブ４４は、光変調装置の一例である。
【００３５】
各色の画像は、図示しない色合成光学系によって画素４４ｐごとに合成され、カラー画像が生成される。当該カラー画像は、投射光学系４５によって投射面５に投射される。
【００３６】
＜Ａ５：動作の説明＞
図６は、制御装置１の動作を説明するためのフローチャートである。図６に示される動作は、定期的に、例えば５分ごとに実行される。なお、図６が実行される時間間隔は、５分に限らず適宜変更可能である。また、図６に示す動作は、例えば利用者からの指示に応じて実行されてもよい。
【００３７】
ステップＳ１０１において処理部１４は、測定の指示を第１通信部１１から第１測定装置３に送信する。第１測定装置３は、測定の指示を受信すると、通信機器ＵＥが通信で用いる可能性のある周波数帯域の電波の強度を測定する。本実施形態では、通信機器ＵＥが通信で用いる可能性のある周波数帯域は、携帯電話通信において、通信機器ＵＥが通信で用いる可能性のある周波数帯域であり、処理部１４に事前に設定されている。続いて、第１測定装置３は、電波の強度の値を示す状態情報を第１通信部１１に送信する。
【００３８】
続いて、ステップＳ１０２において第１通信部１１が状態情報を受信すると、ステップＳ１０３において処理部１４は、状態情報が示す値が、記憶部１３に記憶されている比較値よりも大きいか否かを判断する。
【００３９】
状態情報の示す値が比較値よりも大きい場合、すなわち、第１領域Ｒ１がすいている場合、ステップＳ１０４において処理部１４は、記憶装置２から第１画像情報を読み取り、第１画像情報を第２通信部１２からプロジェクター４に送信する。プロジェクター４は、第１画像情報を受信すると、第１画像情報に基づく非混雑用画像Ｇ１を投射面５に投射する。
【００４０】
一方、状態情報の示す値が比較値以下である場合、すなわち、第１領域Ｒ１が混んでいる場合、ステップＳ１０５において処理部１４は、記憶装置２から第２画像情報を読み取り、第２画像情報を第２通信部１２からプロジェクター４に送信する。プロジェクター４は、第２画像情報を受信すると、第２画像情報に基づく混雑用画像Ｇ２を投射面５に投射する。
【００４１】
本実施形態に係る制御装置１および制御装置１の制御方法によれば、処理部１４は、第１測定装置３から受信する状態情報に基づいて、プロジェクター４が投射面５に表示する画像、具体的には、第１領域Ｒ１における人Ｃの混み具合に対応した画像を決定する。
【００４２】
第１領域Ｒ１に位置する通信機器ＵＥは、携帯電話通信を行うため、基地局を介して他の通信機器と通信する。このため、第１領域Ｒ１に位置する通信機器ＵＥの数が増えると、基地局が収容する通信機器ＵＥの数が増え、よって、第１領域Ｒ１において基地局を介する通信の状態、例えば、第１領域Ｒ１において通信機器ＵＥが送信する電波の強度が変化する。
【００４３】
ここで、通信機器ＵＥは、第１領域Ｒ１に位置する人Ｃによって携帯されるため、第１領域Ｒ１に位置する通信機器ＵＥの数は、第１領域Ｒ１において通信機器ＵＥを携帯する人Ｃの数に依存する。
【００４４】
よって、第１領域Ｒ１における通信の状態は、第１領域Ｒ１において通信機器ＵＥを携帯する人Ｃの数、すなわち、第１領域Ｒ１に位置する人Ｃの混み具合によって影響されることになる。
【００４５】
したがって、第１領域Ｒ１における通信の状態を示す状態情報に基づいて、第１領域Ｒ１における人Ｃの混み具合に対応した画像を決定することは、第１領域Ｒ１における人Ｃの混み具合に基づいて、第１領域Ｒ１における人Ｃの混み具合に対応した画像を決定することを意味する。そして、第１領域Ｒ１における通信の状態は、個人情報を示さない。よって、本実施形態によれば、取り扱いに注意を要する個人情報を用いることなく、第１領域Ｒ１における人Ｃの混み具合に対応した画像、すなわち、プロジェクター４が投射面５に表示する画像を変更することが可能になる。
【００４６】
本実施形態では、通信の状態として、通信機器ＵＥが通信で用いる周波数帯域の電波の強度が用いられる。この電波の強度は、第１領域Ｒ１における当該通信の混み具合に応じて変動する。このため、電波の強度という個人情報ではない情報を用いて、第１領域Ｒ１における人Ｃの混み具合に関する画像を変更することが可能になる。
【００４７】
本実施形態では、状態情報は、第１領域Ｒ１における通信の状態に基づく値を示す。処理部１４は、状態情報の示す値が比較値よりも大きい場合、すなわち、第１領域Ｒ１がすいている場合、プロジェクター４に、非混雑用画像Ｇ１を投射面５に対して表示させ、状態情報の示す値が比較値よりも小さい場合、すなわち、第１領域Ｒ１が混んでいる場合、プロジェクター４に、混雑用画像Ｇ２を投射面５に対して表示させる。このため、状態情報の示す値と比較値との大小関係に応じて、プロジェクター４が投射面５に表示する画像、すなわち、第１領域Ｒ１における人Ｃの混み具合に対応した画像を変更できる。
【００４８】
本実施形態では、比較値として固定値が用いられる。このため、非混雑用画像Ｇ１と混雑用画像Ｇ２とを切り替えるために用いる基準を一定にすることができる。
【００４９】
＜Ｂ：変形例＞
第１実施形態において、例えば以下に例示する構成が採用されてもよい。
【００５０】
＜Ｂ１：変形例１＞
第１実施形態において、電波の強度として、携帯電話通信で使用される周波数帯域の電波の強度の代わりに、通信機器ＵＥが実行する他の通信で使用される周波数帯域の電波の強度が用いられてもよい。
【００５１】
例えば、通信機器ＵＥがＢｌｕｅｔｏｏｔｈ通信とＷｉＦｉ（Wireless Fidelity）通信とを実行する場合、電波の強度として、Ｂｌｕｅｔｏｏｔｈ通信で使用される周波数帯域の電波の強度、または、ＷｉＦｉ通信で使用される周波数帯域の電波の強度が用いられてもよい。Ｂｌｕｅｔｏｏｔｈは、登録商標である。ＷｉＦｉは、登録商標である。なお、比較値は、Ｂｌｕｅｔｏｏｔｈ通信およびＷｉＦｉ通信等の通信の種類に応じて適宜変更される必要がある。
【００５２】
なお、Ｂｌｕｅｔｏｏｔｈ通信のように、通信機器ＵＥにおいて送信電力の制御、つまり送信電波の強度の制御が実行されない通信では、第１領域Ｒ１に位置する通信機器ＵＥの数が多いほど、第１測定装置３が測定する電波の強度は強くなる。
このため、電波の強度として、送信電波の強度を制御しない通信において使用される周波数帯域の電波の強度が用いられる場合、第１測定装置３は、電波の強度が強いほど、状態情報の示す値を小さくする。
【００５３】
＜Ｂ２：変形例２＞
第１実施形態または変形例１において、通信の状態として、通信で用いられる電波の強度の代わりに、通信の品質が用いられてもよい。なお、本願においては、通信の品質には電波強度が含まれないものとする。
【００５４】
例えば、第１測定装置３が携帯電話通信を用いて他の測定装置と通信する場合、基地局を介する第１測定装置３と当該他の測定装置との通信における品質が、通信の状態として用いられる。他の測定装置は、例えば第１領域Ｒ１に位置する。
【００５５】
通信の品質としては、例えば、通信速度または通信遅延時間が用いられる。なお、通信の品質は、通信速度または通信遅延時間に限られない。
通信の品質として通信速度が用いられる場合、通信の混み具合が高いほど、通信速度が遅くなる。このため、第１測定装置３は、通信速度が遅いほど、状態情報の示す値を小さくする。
また、通信の品質として通信遅延時間が用いられる場合、通信の混み具合が高いほど、通信遅延時間が長くなるため、第１測定装置３は、通信遅延時間が長いほど、状態情報の示す値を小さくする。
【００５６】
なお、他の測定装置が、第１領域Ｒ１とは異なる第２領域Ｒ２に存在する場合、第１測定装置３が測定する通信の品質、具体的には、第１測定装置３が基地局を介して他の測定装置と通信するときの通信の品質は、第１領域Ｒ１と第２領域Ｒ２とで構成される領域での通信品質を示す。
【００５７】
また、第１領域Ｒ１とも第２領域Ｒ２とも異なる第３領域Ｒ３に、さらに他の測定装置が配置され、第１測定装置３が、他の測定装置と通信するときの通信品質と、さらに他の測定装置と通信するときの通信品質と、に基づいて、状態情報の示す通信品質を特定してもよい。
【００５８】
例えば、第２領域Ｒ２と第１領域Ｒ１と第３領域Ｒ３が、この順番に並んでいる場合において、第２領域Ｒ２のみで通信が混んでいる状況では、第１領域Ｒ１に位置する第１測定装置３と、第２領域Ｒ２に位置する他の測定装置との通信の品質は、悪くなる。一方、第１領域Ｒ１に位置する第１測定装置３と、第３領域Ｒ３に位置するさらに他の測定装置との通信の品質は、悪くならない。
この場合、第１測定装置３は、第１測定装置３とさらに他の測定装置との通信品質を表す状態情報を、情報処理装置１０に送信する。すなわち、第１領域Ｒ１に位置する第１測定装置３は、第２領域Ｒ２に位置する他の測定装置と通信するときの通信品質と、第３領域Ｒ３に位置するさらに他の測定装置と通信するときの通信品質と、のうち、高い方の通信品質を表す状態情報を、情報処理装置１０に送信する。
【００５９】
＜Ｂ３：変形例３＞
第１実施形態または変形例１〜２のいずれかにおいて、比較値は、第１領域Ｒ１とは異なる第２領域における通信の状態に基づく値でもよい。
【００６０】
図７は、変形例３の一例を示す図である。図７において、第２測定装置３１は、第２領域Ｒ２に配置される。第２測定装置３１は、第２領域Ｒ２に存在する通信機器ＵＥが通信で用いる周波数帯域の電波の強度を測定する。第２測定装置３１によって電波の強度が測定される周波数帯域は、第１測定装置３によって電波の強度が測定される周波数帯域に設定される。第２測定装置３１が測定する周波数帯域の電波の強度は、第２領域Ｒ２における通信の状態の一例である。
第２測定装置３１は、測定した電波の強度に基づく値を示す追加の状態情報を、情報処理装置１０に送信する。追加の状態情報は、第２測定装置３１によって測定される周波数帯域の電波の強度の値を示す。
【００６１】
情報処理装置１０の第１通信部１１は、第２測定装置３１から追加の状態情報を受信すると、追加の状態情報を処理部１４に提供する。処理部１４は、追加の状態情報を受信すると、追加の状態情報の示す値を比較値として用いる。
【００６２】
この場合、非混雑用画像Ｇ１として、図８に示す画像Ｇ１Ａが用いられ、混雑用画像Ｇ２として、図９に示す画像Ｇ２Ａが用いられてもよい。画像Ｇ１Ａは、第１画像の一例であり、画像Ｇ２Ａは、第２画像の一例である。
【００６３】
画像Ｇ１Ａは、第２領域Ｒ２が第１領域Ｒ１よりも混雑していることを表す。具体的には、画像Ｇ１Ａは、川Ｔ１の流れを示し、第１領域Ｒ１と第２領域Ｒ２の各々における魚Ｆ１の混雑の程度の違いによって第２領域Ｒ２が第１領域Ｒ１よりも人の混雑の程度が高いことを示し、かつ、魚Ｆ１の向きで人Ｃを移動させたい方向を示す。画像Ｇ１Ａでは、第２領域Ｒ２での混雑が解消されるように、魚Ｆ１の向きを、人Ｃを移動させたい方向、具体的には、第２領域Ｒ２から第１領域Ｒ１に向かう方向に合わせている。
【００６４】
画像Ｇ２Ａは、第１領域Ｒ１が第２領域Ｒ２よりも混雑していることを表す。具体的には、画像Ｇ２Ａは、川Ｔ１の流れを示し、第１領域Ｒ１と第２領域Ｒ２の各々における魚Ｆ１の混雑の程度の違いによって第１領域Ｒ１が第２領域Ｒ２よりも人の混雑の程度が高いことを示し、かつ、魚Ｆ１の向きで人Ｃを移動させたい方向を示す。画像Ｇ２Ａでは、魚Ｆ１の向きを、人Ｃを移動させたい方向、具体的には、第１領域Ｒ１から第２領域Ｒ２に向かう方向に合わせている。
【００６５】
なお、画像Ｇ１Ａおよび画像Ｇ２Ａの両方または一方において、川Ｔ１の流れおよび魚Ｆ１の泳ぐ姿を、アニメーション等の動画で示してもよい。また、川Ｔ１の表示は省略されてもよく、魚Ｆ１の代わりにカエル等の魚以外の生物が用いられてもよし、いわゆるキャラクターが用いられてもよい。
【００６６】
変形例３によれば、第１領域Ｒ１と第２領域Ｒ２との電波の強度の大小関係に応じて、プロジェクター４が投射面５に表示する画像を変更できる。このため、個人情報を用いることなく、第１領域Ｒ１と第２領域Ｒ２との混雑の程度の大小関係に基づいて、プロジェクター４が投射面５に表示する画像を変更できる。
【００６７】
なお、変形例３において、通信の状態として、電波の強度の代わりに、変形例２に示すような通信の品質が用いられてもよい。
【００６８】
＜Ｂ４：変形例４＞
第１実施形態または変形例１〜３のいずれかにおいて、処理部１４は、プロジェクター４が投射面５に表示する画像を、状態情報ではなく、状態情報とは異なる情報に基づいて決定してもよい。
【００６９】
図１０は、状態情報の代わりとなる情報として、第１領域Ｒ１に配置されている重量センサー３２の検出結果が用いられる例を示す図である。以下、変形例４について、図２に示す第１実施形態と異なる点を中心に説明する。
【００７０】
重量センサー３２は、例えば第１領域Ｒ１における人用の通路に配置される。重量センサー３２には、第１領域Ｒ１に位置する人Ｃが位置する。重量センサー３２は、重量センサー３２にかかる重量を検出する。重量センサー３２は、重量センサー３２にかかる重量の検出結果を第１通信部１１に送信する。重量センサー３２の検出結果は、第１情報の一例である。重量センサー３２の検出結果は、第１領域Ｒ１に存在する人Ｃの個人情報を表すことなく、第１領域Ｒ１に存在する人Ｃの混み具合に依存する。
【００７１】
本実施形態では、重量センサー３２の検出結果が示す値は、第１領域Ｒ１に存在する人Ｃの混み具合が高いほど大きくなる。このため、変形例４では、図６に示すステップＳ１０３として、「状態情報の示す値＞比較値？」という判断の代わりに、「第１情報の示す値＜比較値？」という判断が用いられる。なお、重量センサー３２の検出結果が示す値を、第１領域Ｒ１に存在する人Ｃの混み具合が高いほど小さくする場合、ステップＳ１０３として「第１情報の示す値＞比較値？」という判断が用いられる。変形例４において、比較値は、変形例４用の値に変更される必要がある。
変形例４においても、取り扱いに注意を要する個人情報を用いることなく、第１領域Ｒ１における人Ｃの混み具合に関する画像を変更することが可能になる。
【００７２】
なお、重量センサー３２の代わりに、人の数を検出する赤外線センサーが第１領域Ｒ１に配置され、重量センサー３２の検出結果の代わりに、赤外線センサーの検出結果が用いられてもよい。赤外線センサーの検出結果は、第１情報の他の例である。赤外線センサーは、赤外線センサーの検出結果を第１通信部１１に送信する。赤外線センサーの検出結果は、第１領域Ｒ１に存在する人Ｃの個人情報を表すことなく、第１領域Ｒ１に存在する人Ｃの混み具合に依存する。例えば、赤外線センサーの検出結果が示す値は、第１領域Ｒ１に存在する人Ｃの混み具合が高いほど大きくなる。
【００７３】
また、重量センサー３２の代わりに、第１領域Ｒ１内の温度を測定する温度センサーが第１領域Ｒ１に配置され、重量センサー３２の検出結果の代わりに、温度センサーの検出結果が用いられてもよい。温度センサーの検出結果は、第１情報の他の例である。温度センサーは、温度センサーの検出結果を第１通信部１１に送信する。温度センサーの検出結果は、第１領域Ｒ１に存在する人Ｃの個人情報を表すことなく、第１領域Ｒ１に存在する人Ｃの混み具合に依存する。例えば、温度センサーの検出結果が示す値は、第１領域Ｒ１に存在する人Ｃの混み具合が高いほど大きくなる傾向がある。
【００７４】
また、第１領域Ｒ１にエアコン（エアーコンディショナー）が配置される場合、第１領域Ｒ１に存在する人Ｃの混み具合が高いほど、エアコンからの風量が大きくなる傾向がある。このため、重量センサー３２の代わりに、第１領域Ｒ１内の風量を測定する風量計に配置され、重量センサー３２の検出結果の代わりに、風量計の検出結果が用いられてもよい。風量計の検出結果は、第１情報の他の例である。風量計は、風量計の検出結果を第１通信部１１に送信する。風量計の検出結果は、第１領域Ｒ１に存在する人Ｃの個人情報を表すことなく、第１領域Ｒ１に存在する人Ｃの混み具合に依存する。
【００７５】
また、重量センサー３２の代わりに、第１領域Ｒ１内の音量を測定する音量計が第１領域Ｒ１に配置され、重量センサー３２の検出結果の代わりに、音量計の検出結果が用いられてもよい。音量計の検出結果は、第１情報の他の例である。音量計は、音量計の検出結果を第１通信部１１に送信する。音量計の検出結果は、第１領域Ｒ１に存在する人Ｃの個人情報を表すことなく、第１領域Ｒ１に存在する人Ｃの混み具合に依存する。例えば、音量計の検出結果が示す値は、第１領域Ｒ１に存在する人Ｃの混み具合が高いほど大きくなる傾向がある。
【００７６】
また、重量センサー３２の代わりに、第１領域Ｒ１内の震度を測定する震度計が第１領域Ｒ１に配置され、重量センサー３２の検出結果の代わりに、震度計の検出結果が用いられてもよい。震度計の検出結果は、第１情報の他の例である。震度計は、震度計の検出結果を第１通信部１１に送信する。震度計の検出結果は、第１領域Ｒ１に存在する人Ｃの個人情報を表すことなく、第１領域Ｒ１に存在する人Ｃの混み具合に依存する。例えば、震度計の検出結果が示す値は、第１領域Ｒ１に存在する人Ｃの混み具合が高いほど大きくなる傾向がある。
【００７７】
＜Ｂ５：変形例５＞
第１実施形態または変形例１〜４のいずれかにおいて、処理部１４は、ステップＳ１０４において、非混雑用画像Ｇ１と、非混雑用画像Ｇ１とも混雑用画像Ｇ２とも異なる画像とを、交互にプロジェクター４に投射させてもよい。
【００７８】
また、処理部１４は、ステップＳ１０５において、混雑用画像Ｇ２と、非混雑用画像Ｇ１とも混雑用画像Ｇ２とも異なる画像とを、交互にプロジェクター４に投射させてもよい。
【００７９】
非混雑用画像Ｇ１とも混雑用画像Ｇ２とも異なる画像としては、例えば、第１領域Ｒ１を有する施設全体の見取り図が用いられる。しかしながら、非混雑用画像Ｇ１とも混雑用画像Ｇ２とも異なる画像は、第１領域Ｒ１を有する施設全体の見取り図に限らず、例えば、風景画でもよい。
非混雑用画像Ｇ１とも混雑用画像Ｇ２とも異なる画像として、施設全体の見取り図が用いられる場合、ステップＳ１０４では、施設全体の見取り図のうち第１領域Ｒ１を示す部分に非混雑用画像Ｇ１が組み込まれ、ステップＳ１０５では、施設全体の見取り図のうち第１領域Ｒ１を示す部分に混雑用画像Ｇ２が組み込まれてもよい。
【００８０】
＜Ｂ６：変形例６＞
第１実施形態または変形例１〜５のいずれかにおいて、表示システムＡが使われている施設が商業施設である場合、非混雑用画像Ｇ１が示す本日のおすすめが、第１領域Ｒ１で販売されている本日のお買い得品を示し、混雑用画像Ｇ２が、第１領域Ｒ１で販売されている本日のお買い得品を示さなくてもよい。
この場合、第１領域Ｒ１が混雑気味である状況で第１領域Ｒ１での本日のお買い得品を示さないため、第１領域Ｒ１が混雑気味である状況で第１領域Ｒ１での本日のお買い得品を示してしまって第１領域Ｒ１がさらに混雑してしまうことを抑制可能になる。
また、第１実施形態または変形例１〜５のいずれかにおいて、表示システムＡが使われている施設が空港である場合、第１領域Ｒ１として、チェックインカウンターを有する領域が用いられてもよい。この場合、非混雑用画像Ｇ１および混雑用画像Ｇ２に、欠航の情報および空港案内の情報のいずれかまたは両方がさらに示されてもよい。
【００８１】
＜Ｂ７：変形例７＞
第１実施形態または変形例１〜６のいずれかにおいて、制御装置１は、プロジェクター４に内蔵されてもよい。
【００８２】
＜Ｂ８：変形例８＞
光変調装置の一例として液晶ライトバルブ４４が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源４３が発した光を変調可能な構成は、光変調装置として採用できる。
【００８３】
＜Ｂ９：変形例９＞
表示装置は、プロジェクター４に限らず、液晶ディスプレイ等の直視型のディスプレイもよい。
【００８４】
＜Ｂ１０：変形例１０＞
処理部１４がプログラムを実行することによって実現される機能は、例えばＦＰＧＡ（field programmable gate array）またはＡＳＩＣ（Application Specific IC）等の電子回路によりハードウェアで実現されてもよい。また、画像処理部４１は、例えばＦＰＧＡまたはＡＳＩＣ等の電子回路により実現されてもよい。
【符号の説明】
【００８５】
Ａ…表示システム、１…制御装置、２…記憶装置、３…測定装置、４…プロジェクター、１０…情報処理装置、１１…第１通信部、１２…第２通信部、１３…記憶部、１４…処理部。
【図１】
2020098452.tif 000003
【図２】
2020098452.tif 000004
【図３】
2020098452.tif 000005
【図４】
2020098452.tif 000006
【図５】
2020098452.tif 000007
【図６】
2020098452.tif 000008
【図７】
2020098452.tif 000009
【図８】
2020098452.tif 000010
【図９】
2020098452.tif 000011
【図１０】
2020098452.tif 000012